(57)【要約】【課題】薄型化及び小型化されると共に剛性が確保された光源ユニット及び照明装置を提供すること。【解決手段】光源ユニット及び照明装置は、第１面に発光部が配置される発光部配置部及び第１面の裏側である第２面に部品配置部を有する平板状のフレーム部材と、部品配置部に取り付けられるケース部材と、を備える。部品配置部は、フレーム部材を器具本体に取り付けるための取付部品が配置され、ケース部材は、フレーム部材が配置されている側に開放された第１凹部を備え、取付部品が配置されている領域以外の部品配置部を覆う様にフレーム部材に取り付けられる。【選択図】図４
2018206526.tif 000002
【特許請求の範囲】
【請求項１】
第１面に発光部が配置される発光部配置部及び前記第１面の裏側である第２面に部品配置部を有する平板状のフレーム部材と、
前記部品配置部に取り付けられるケース部材と、を備え、
前記部品配置部は、
前記フレーム部材を器具本体に取り付けるための取付部品が配置され、
前記ケース部材は、
前記フレーム部材が配置されている側に開放された第１凹部を備え、前記取付部品が配置されている領域以外の前記部品配置部を覆う様に前記フレーム部材に取り付けられる、光源ユニット。
【請求項２】
前記部品配置部は、
前記発光部配置部に配置された発光部に点灯電力を供給する電源装置が配置され、
前記電源装置は、
前記第１凹部に覆われている、請求項１に記載の光源ユニット。
【請求項３】
前記ケース部材は、
前記第１凹部が開放されている方向と反対側に向かって開放されている第２凹部と、を備える、請求項１又は２に記載の光源ユニット。
【請求項４】
前記フレーム部材は、
前記発光部配置部、前記部品配置部、及び前記ケース部材が配置されている領域以外の領域に当該フレーム部材の長手方向に沿って前記第２面側に突出する突出部を有する、請求項１〜３の何れか１項に記載の光源ユニット。
【請求項５】
前記突出部は、
前記フレーム部材の前記第２面の端縁に、前記フレーム部材の長手方向に沿って突出し、
前記ケース部材は、
前記第２面と前記突出部とに沿って配置される、請求項４に記載の光源ユニット。
【請求項６】
前記ケース部材は、
前記第１凹部の側壁部と前記突出部とを連結して前記フレーム部材に取り付けられる、請求項４又は５に記載の光源ユニット。
【請求項７】
前記発光部を覆うカバー部材を備え、
前記カバー部材は、
前記突出部と前記ケース部材の第２凹部の側壁部に係合し固定される、請求項６に記載の光源ユニット。
【請求項８】
前記ケース部材は、
前記第２凹部の側壁部と前記突出部とを連結して前記フレーム部材に取り付けられる、請求項７に記載の光源ユニット。
【請求項９】
前記ケース部材は、
前記第１凹部と前記第２凹部とが隣接して設けられ、前記第１凹部と前記第２凹部とを区切る側壁部と前記突出部とを連結して前記フレーム部材に取り付けられる、請求項３を引用する請求項４に記載の光源ユニット。
【請求項１０】
前記フレーム部材は、
前記突出部が設けられている端縁に対し反対側の端部に、前記突出部と反対向きに突出した下側突出部を更に備える、請求項４〜９の何れか１項に記載の光源ユニット。
【請求項１１】
請求項１〜１０のいずれか１項に記載の光源ユニットを備えた照明装置。
【発明の詳細な説明】
【技術分野】
【０００１】
本発明は、光源ユニット及び照明装置に関するものである。
【背景技術】
【０００２】
従来より、複数のＬＥＤが実装されたＬＥＤ基板と、ＬＥＤ基板が取り付けられる長尺の取付部材と、複数のＬＥＤに点灯電力を供給する電源装置と、拡散性を有する材料からなり、取付部材の長手方向と同方向を長手方向とし且つ取付部材の幅方向と同方向を幅方向とした状態でＬＥＤ基板を覆うようにして取付部材に取り付けられる長尺のカバー部材とを備え、長尺状に形成された器具本体に対して着脱自在に取り付けられる光源ユニットが知られている（例えば、特許文献１、特許文献２を参照）。
【先行技術文献】
【特許文献】
【０００３】
【特許文献１】特許第５８６６５２７号公報
【特許文献２】特許第５９５４６６４号公報
【発明の概要】
【発明が解決しようとする課題】
【０００４】
特許文献１及び特許文献２の照明装置の取付部材は、ＬＥＤ基板、カバー部材、電源装置などが配置された状態で剛性が必要となる。取付部材は、長尺且つ矩形板状に形成され一面にＬＥＤ基板が取り付けられる底面部と、底面部の幅方向における両端から底面部に対してＬＥＤ基板と反対側で且つ底面部と交差する方向に突出する第１側面部及び第２側面部とで形成されている。そのため、取付部材は、形状が複雑であるとともに、光源ユニットの軽量化を妨げる要因ともなっていた。
【０００５】
本発明は、上記のような課題を解決する為になされたもので、ＬＥＤ基板が取り付けられる取付部材が簡素な形状でありながら剛性が得られる光源ユニット及び照明装置を提供することを目的とするものである。
【課題を解決するための手段】
【０００６】
本発明に係る光源ユニットは、第１面に発光部が配置される発光部配置部及び前記第１面の裏側である第２面に部品配置部を有する平板状のフレーム部材と、前記部品配置部に取り付けられるケース部材と、を備え、前記部品配置部は、前記フレーム部材を器具本体に取り付けるための取付部品が配置され、前記ケース部材は、前記フレーム部材が配置されている側に開放された第１凹部を備え、前記取付部品が配置されている領域以外の前記部品配置部を覆う様に前記フレーム部材に取り付けられる。
【発明の効果】
【０００７】
本発明によれば、上記の構成により、発光部が配置されるフレーム部材が簡素な形状でありながら、ケース部材を取り付けることにより光源ユニット全体としての剛性が確保できる。その結果、フレーム部材は、長手方向の撓みを抑制できるだけの縦弾性係数を確保することができ、光源ユニット及び照明装置は、薄型化及び小型化することができる。
【図面の簡単な説明】
【０００８】
【図１】本発明の実施の形態１に係る照明装置の斜視図である。
【図２】本発明の実施の形態１に係る照明装置の分解斜視図である。
【図３】本発明の実施の形態１に係る照明装置の装置本体の斜視図である。
【図４】本発明の実施の形態１に係る照明装置の図１におけるＡ−Ａ断面図である。
【図５】本発明の実施の形態１に係る照明装置に使用される取付部品の斜視図である。
【図６】本発明の実施の形態１に係る照明装置の連結金具の斜視図である。
【図７】図４のフレーム部材とカバー部材とを組み合わせた状態の斜視図である。
【図８】図７のフレーム部材とカバー部材との端部から蓋を外した状態の図である。
【図９】図４のフレーム部材に発光部を取り付けた状態の斜視図である。
【図１０】図４の発光部支持部材の発光部を下方向に向け長手方向Ｘに直交する方向から見た側面図である。
【図１１】図４の発光部支持部材の変形例を示す説明図である。
【図１２】図４の発光部支持部材の変形例を示す説明図である。
【図１３】図４の発光部支持部材の変形例を示す説明図である。
【図１４】図４の発光部支持部材の変形例を示す説明図である。
【図１５】図４の発光部支持部材の変形例を示す説明図である。
【図１６】図４の発光部支持部材の変形例を示す説明図である。
【図１７】図４に示された照明装置１の変形例の断面図である。
【図１８】本発明の実施の形態２に係る光源ユニットの発光部支持部材の説明図である。
【図１９】本発明の実施の形態３に係る光源ユニットの発光部支持部材の説明図である。
【図２０】本発明の実施の形態３に係る光源ユニットの発光部支持部材の説明図である。
【図２１】本発明の実施の形態４に係る光源ユニットの発光部支持部材の説明図である。
【図２２】本発明の実施の形態４に係る光源ユニットの発光部支持部材の説明図である。
【発明を実施するための形態】
【０００９】
以下、本発明の実施の形態における照明装置について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。更に、明細書全文に表わされている構成要素の形態は、あくまでも例示であって、これらの記載に限定されるものではない。
【００１０】
実施の形態１．
図１は、本発明の実施の形態１に係る照明装置１の斜視図である。図２は、本発明の実施の形態１に係る照明装置の分解斜視図である。図１及び図２を参照して照明装置１の各部の構成を説明する。なお、以下の説明において、長手方向を長手方向Ｘ、長手方向Ｘに対する短手方向を短手方向Ｙとし、長手方向Ｘ及び短手方向Ｙのそれぞれに直交する方向を上下方向Ｚとする。また、照明装置１が取り付けられる天井などの被取付面側を上方向Ｚ１とし、上方向Ｚ１と反対側であり照明装置１が照射する側を下方向Ｚ２とする。
【００１１】
照明装置１は、長尺状の装置本体１００と、装置本体１００に着脱可能に取り付けられる長尺状の光源ユニット２００とを備えている。装置本体１００には、光源ユニット２００の一部が収容される収容凹部１１１が形成されている。
【００１２】
図３は、本発明の実施の形態１に係る照明装置１の装置本体１００の斜視図である。図４は、本発明の実施の形態１に係る照明装置１の図１におけるＡ−Ａ断面図である。なお、図１のＡ−Ａ断面は、長手方向Ｘに垂直な断面である。図２〜図４を参照して、装置本体１００の各部の構成を説明する。
【００１３】
装置本体１００は、光源ユニット２００の一部が挿入されて取り付けられる取付部１１０と、取付部１１０の長手端部を覆う側板１２０と、装置本体１００の外部から引き込まれた図示しない電源線が挿し込まれる端子台１３０と、光源ユニット２００を保持する為の取付部品１４０とを備えている。なお、装置本体１００は、ボルトなどの固定具を用いて天井などの被取付部に取り付けられるものである。
【００１４】
取付部１１０は、長手方向Ｘに沿って凹部として構成された収容凹部１１１と、短手方向Ｙにおいて収容凹部１１１の両側に設けられる鍔部１１２及び傾斜部１１３とを備えている。
【００１５】
収容凹部１１１は、長手方向Ｘに沿って長尺且つ矩形板状に形成された底部１１１ａと、底部１１１ａの長手側辺のそれぞれから下側（Ｚ２側）へ延出する一対の側部１１１ｂとを有することで凹形状をなし、光源ユニット２００の一部を収納する。収容凹部１１１は、底部１１１ａと対向する位置に光源ユニット２００が挿入される開口１１１ｃが形成される。
【００１６】
底部１１１ａには、商用電源から電力供給を受けるための図示しない電源線を引き込むための電源引込孔１１１ａａと、ボルトなどの固定具により装置本体１００を天井などの被取付部へ固定する為の固定孔１１１ａｂとが形成されている。
【００１７】
鍔部１１２は、一対の側部１１１ｂの開口１１１ｃ側の長手側辺のそれぞれから互いに離れるように対に形成されている。
【００１８】
傾斜部１１３は、短手方向Ｙにおいて収容凹部１１１の両側に設けられており、鍔部１１２の長手側辺のそれぞれから、上側（Ｚ１側）へ且つ収容凹部１１１から離れるように形成されている。
【００１９】
側板１２０は、長手方向Ｘにおける取付部１１０の両端に配設されており、収容凹部１１１及び傾斜部１１３を覆っている。側板１２０は、収容凹部１１１及び傾斜部１１３の長手方向Ｘの端部を覆う側板本体部１２１と、側板本体部１２１の下側（Ｚ２側）の側辺から側板本体部１２１に対して略垂直になるように突出した側板鍔部１２２とを有している。側板１２０は、側板鍔部１２２が開口１１１ｃの端部を覆うように取付部１１０に配設されており、側板鍔部１２２は鍔部１１２と併設している。
【００２０】
端子台１３０は、収容凹部１１１の底部１１１ａに固定されており、電源引込孔１１１ａａから引き込まれた図示しない電源線と接続し、商用電源から供給される電力を光源ユニット２００に供給する。端子台１３０は、矩形箱状に形成された端子台本体部１３１と、光源ユニット２００に電気的に接続する為の端子台接続部１３２とを備えている。端子台接続部１３２は、端子台電線１３２ａと、端子台電線１３２ａの先端に設けられた端子台コネクタ１３２ｂとを備えている。
【００２１】
図２及び図３に示されている取付部品は、収容凹部１１１の底部１１１ａに、長手方向Ｘに沿って対になるよう２つ配設されている。取付部品１４０は、光源ユニット２００を装置本体１００に取り付けるための取付機構の１つであり、図２に記載の連結金具２６０と係合するものである。
【００２２】
光源ユニット２００は、発光部２１０に所定の点灯電力を供給する図２及び図４に示される電源装置２５０と、取付部品１４０と係合する図２に示す連結金具２６０とを備えている。
【００２３】
図４に示されるように、光源ユニット２００は、複数の発光素子を有する発光部２１０と、この発光部２１０が取り付けられるフレーム部材２２０と、発光部２１０を覆うようにしてフレーム部材２２０に取り付けられるカバー部材２３０とを備えている。
【００２４】
フレーム部材２２０は、長手方向Ｘに沿って長尺且つ矩形板状に形成されたフレーム底部２２１と、フレーム底部２２１から電源装置２５０が設置されている側に突出する突出部２２５とを有する。実施の形態１において、突出部２２５は、フレーム底部２２１の短手方向Ｙの一方の端部に設けられており、フレーム底部２２１の長手方向Ｘに沿って設けられている。つまり、フレーム部材２２０は、長手方向Ｘに垂直な断面においてフレーム底部２２１と突出部２２５とによりＬ字形状を形成している。フレーム底部２２１は、平板状であり、発光部２１０が設置されている面は反射部材として機能する。フレーム部材２２０は、発光部２１０が設置されている面に反射塗料を用いてもよく、又は基材に反射部材を配置してもよい。実施の形態１において、フレーム底部２２１は、平面に形成されているが、凹凸面を形成してもよい。
【００２５】
図２及び図４に示されるように、フレーム部材２２０は、発光部２１０が取り付けられている面と反対側の面に電源装置２５０が取り付けられている。電源装置２５０は、端子台１３０を介して商用電源からの電力を発光部２１０に供給し、発光部２１０を点灯させるものである。なお、図４において電源装置２５０はケース部材２５１の第１凹部２５２に覆われているが、省略されている。
【００２６】
図４に示されるように電源装置２５０は、周囲をケース部材２５１により覆われている。ケース部材２５１は、フレーム部材２２０側に向かって開放されている第１凹部２５２を備え、第１凹部２５２とフレーム部材２２０のフレーム底部２２１により囲まれた空間に電源装置２５０が配置されている。電源装置２５０は、フレーム底部２２１又はケース部材２５１のどちらに取り付けられていても良い。なお、ケース部材２５１とフレーム部材２２０とを組み合わせた構造を発光部支持部材２７０と呼ぶ。
【００２７】
実施の形態１においてケース部材２５１の第１凹部２５２は、箱形をしているが、長手方向Ｘの両端部は、第１凹部２５２の内部空間を覆う壁がなくても良い。ただし、第１凹部２５２の長手方向Ｘの両端部に壁があればケース部材２５１の剛性が高くなり、フレーム部材２２０と組み合わされ発光部支持部材２７０の全体の剛性が高くなり、発光部２１０を支持するのに有利である。また、第１凹部２５２は、長手方向Ｘに垂直な断面において、両端に側壁部２５３及び側壁部２５４を備える。側壁部２５３は、第１凹部２５２の開放されている側の端部が折り返され、側壁部２５３の剛性が高くなるように構成されている。側壁部２５４は、側壁部２５３に対向して位置し、第１凹部２５２の開放されている側の先端が、第１凹部２５２の外側に折れ曲がり、フレーム部材２２０のフレーム底部２２１に沿うように位置している。
【００２８】
ケース部材２５１とフレーム部材２２０とは、ケース部材２５１の側壁部２５３とフレーム部材２２０の突出部２２５とを隣接して配置されている。ケース部材２５１は、側壁部２５３の突出部２２５に接触する部分に、例えば係止用ばね（図示せず）又はネジ孔（図示せず）が配置されており、側壁部２５３が突出部２２５に固定される。ケース部材２５１がフレーム部材２２０に固定されることにより、発光部支持部材２７０を構成する。発光部支持部材２７０は、電源装置２５０を内蔵するスペースを有するケース部材２５１と発光部２１０が設置されるフレーム部材２２０とが組み合わさり、発光部２１０を支持するために十分な剛性が確保できる。
【００２９】
なお、図４に示されるように、第１凹部２５２は、フレーム部材２２０の突出部２２５側に寄って配置されており、短手方向Ｙにおいてフレーム部材２２０の突出部２２５と反対側の端部側にはフレーム底部２２１の上方に空間がある。この空間には、装置本体１００と電源装置２５０とを接続し外部電源から電力を供給する配線を配置することができる。この空間に配線を配置させることにより、光源ユニット２００を装置本体１００に取り付ける際に配線が光源ユニット２００と装置本体１００との間に挟まるのを抑止することができる。
【００３０】
図５は、本発明の実施の形態１に係る照明装置１に使用される取付部品１４０の斜視図である。取付部品は、ステンレス材料や、バネ鋼材などの弾性材料で形成される。取付部品は、底部１１１ａに固定されるバネ固定部１４１と、円弧形状をしたバネ円弧部１４２と、バネ円弧部１４２の先端に設けられ連結金具２６０に引掛けられるバネ先端部１４３とが設けられている。また、対になる取付部品は、バネ先端部１４３が互いに反対方向を向くように底部１１１ａに配設されている。なお、取付部品は、板材の弾性材料を曲げて形成しても良く、線材の弾性材料を曲げて形成しても良い。
【００３１】
図６は、本発明の実施の形態１に係る照明装置の連結金具２６０の斜視図である。連結金具２６０は、光源ユニット２００を装置本体１００に取り付ける取付機構の１つであり、取付部品と係合するものである。連結金具２６０は、略Ｌ字形状をしており、金具固定部２６１と、バネ連結部２６２とを備えている。金具固定部２６１は、フレーム底部２２１にネジなどで固定される部分である。バネ連結部２６２には、取付部品が引っ掛けられる連結開口部２６２ａが形成されている。光源ユニット２００は、連結開口部２６２ａと取付部品のバネ先端部１４３とが係合し、装置本体１００に固定される。
【００３２】
図７は、図４のフレーム部材２２０とカバー部材２３０とを組み合わせた状態の斜視図である。図８は、図７のフレーム部材２２０とカバー部材２３０との端部から蓋２４０を外した状態の図である。図９は、図４のフレーム部材２２０に発光部２１０を取り付けた状態の斜視図である。なお、図７は、フレーム部材２２０とカバー部材２３０の長手方向Ｘの端部を示している。図７に示されるように、光源ユニット２００は、光源ユニット２００の長手方向Ｘの端部に蓋２４０を備えている。蓋２４０は、光源ユニット２００の長手方向Ｘにおける端部に設けられ、カバー部材２３０の長手方向Ｘの開口を塞ぐとともに、発光部２１０が照射する光を長手方向Ｘへ配光するものである。蓋２４０は、アクリル樹脂など透過性、拡散性を有する材料により形成されており、カバー部材２３０と接着剤、熱溶着などの接合手段により接合されている。蓋２４０は、カバー部材２３０の端部に設けられており、光源ユニット２００の長手方向Ｘにおける端部となる蓋端面２４１と、蓋２４０の側面となる蓋側面２４２とを有している。
【００３３】
図７及び図８に示されるように、カバー部材２３０は、発光部２１０を覆うように長尺に形成され、フレーム部材２２０の側端に取り付けられる。カバー部材２３０は、乳白色のアクリル樹脂など拡散性を有する材料により形成され、発光部２１０から照射される光を拡散するものである。カバー部材２３０は、短手方向Ｙにおいて、カバー正面部２３１と、カバー側部２３２と、カバー底部２３３とを有している。
【００３４】
カバー正面部２３１は、発光部２１０を覆っている。実施の形態１において、カバー正面部２３１の短手方向の断面形状は円弧形状であるが、他の形状であってもよい。例えば、カバー正面部２３１は、短手方向の断面が、平板形状、三角形状、四角形状、その他の多角形状であっても良い。あるいは、カバー正面部２３１は、単数又は複数の平面から形成される平面形状又は多面体形状であっても良く、単数又は複数の曲面から形成される形状であっても良い。カバー側部２３２は、カバー正面部２３１の長手側端の各端部よりフレーム底部２２１側、すなわち上側（Ｚ１側）に設けられている。カバー底部２３３は、それぞれのカバー側部２３２の長手側端の端部より互いに近づくように形成されている。また、カバー底部２３３は、カバー正面部２３１側へ突出した２つの突起からなるカバー係合部２３３ａが設けられている。なお、カバー部材２３０は、カバー正面部２３１、カバー側部２３２、カバー底部２３３、が長手方向Ｘへ連続するように形成されている。
【００３５】
カバー部材２３０は、カバー底部２３３に設けられたカバー係合部２３３ａをフレーム部材２２０の突出部２２５に係合させ、カバー係合部２３３ｂをフレーム部材２２０の突出部２２５が設けられている端部と反対側の端部２２６に係合させて取り付けられる。すなわちフレーム部材２２０の短手方向Ｙの断面における両端部にカバー部材２３０の両端部を係合させることで、カバー部材２３０はフレーム部材２２０に固定される。
【００３６】
図９に示されるように、発光部２１０は、長手方向Ｘに沿って長尺に形成された基板２１１と、基板２１１に長手方向Ｘに沿って直線状に実装される複数の発光素子２１２とを備えている。図９において、発光素子２１２は、長手方向Ｘに沿って１列に並べられているが、複数列に配置されていても良い。発光部２１０の長手方向Ｘの一端部には、電源装置２５０との間を電気的に接続するための図示しない電線が接続されている。この電線が電源装置２５０に接続することで、発光部２１０と電源装置２５０とが電気的に接続される。なお、発光素子２１２は、例えば表面実装タイプのＬＥＤ素子であるが、ＣＯＢ型のＬＥＤモジュールでも良い。また、発光素子２１２は、固体レーザ素子、半導体レーザ素子、有機ＥＬ素子でも良い。
【００３７】
図１０は、図４の発光部支持部材２７０の発光部２１０を下方向に向け長手方向Ｘに直交する方向から見た側面図である。図１０は、発光部支持部材２７０を模式的に表したものである。ケース部材２５１は、フレーム部材２２０の長手方向Ｘの長さに対し短く、フレーム部材２２０に設けられた連結金具２６０が設けられている領域を避けて取り付けられている。フレーム部材２２０にケース部材２５１が取り付けられている領域は、フレーム部材２２０の発光部２１０が取り付けられている面と反対側の面に設置されている部品の配置により適宜変更可能であるが、少なくとも連結金具２６０を避けてできる限り長手方向Ｘに長い方が発光部支持部材２７０の剛性が高くなる。
【００３８】
（発光部支持部材２７０の変形例）
図１１〜図１６は、図４の発光部支持部材２７０の変形例を示す説明図である。図１１〜１６は、図４の発光部支持部材２７０の変形例を模式的に表している。図１１に示されている発光部支持部材２７０ａは、図４に示される発光部支持部材２７０に対し、電源装置２５０のケース部材２５１の形状を変更したものである。図１１に示されるように、ケース部材２５１ａは、第１凹部２５２に隣接してフレーム部材２２０ａと反対側に開放された第２凹部２５５を備える。これに伴い、ケース部材２５１ａは、第２凹部２５５の第１凹部２５２から離れた側の側壁部２５６を備える。図４に示された、ケース部材２５１に対し、第１凹部２５２の開放側の側壁部２５４の端部からフレーム部材２２０ａのフレーム底部２２１に沿って第２凹部２５５の底部２５７が配置され、底部２５７の端部に側壁部２５６が設けられている。ケース部材２５１ａは、長手方向Ｘに垂直な断面においてフレーム底部２２１に直交する側壁部２５３、２５４、２５６が設けられているため、フレーム部材２２０ａと組み合わされることにより、発光部支持部材２７０ａの剛性が高くなる。
【００３９】
また、ケース部材２５１ａの第２凹部２５５は、上方に開放された空間であるため、この空間には、装置本体１００と電源装置２５０とを接続し外部電源から電力を供給する配線を配置することができる。この空間に配線を配置させることにより、光源ユニット２００を装置本体１００に取り付ける際に配線が光源ユニット２００と装置本体１００との間に挟まるのを抑止することができる。
【００４０】
図１２に示されている発光部支持部材２７０ｂは、図１１に示される発光部支持部材２７０ａに対しフレーム部材２２０ａの形状を変更したものである。図４及び図１１に示されたフレーム部材２２０ａは、断面形状がＬ字形状でありフレーム底部２２１の端部からフレーム部材２２０ａの発光部２１０が設置されている面と反対側に向かって突出部２２５が突出されているが、図１２に示されているフレーム部材２２０ａは、突出部２２５が、フレーム部材２２０ｂのフレーム底部２２１の端部から内側に離れた位置に設けられている。
【００４１】
図１２に示されている発光部支持部材２７０ｂは、フレーム部材２２０ｂのフレーム底部２２１の端部から内側に離れた位置に突出部２２５が設けられているため、突出部２２５の外側にフレーム底部２２１の端部２２７が突出している。これにより、フレーム部材２２０ｂの両側の端部２２６及び端部２２７に対称的にカバー部材２３０を係合させることができ、カバー部材２３０の形状を簡易化することができる。ひいては、カバー部材２３０の成形性を向上させることができる。なお、フレーム部材２２０ｂは、例えば押出成形等により製作されるものである。また、発光部支持部材２７０ｂに用いられるケース部材２５１ａは、図１１に示されるケース部材２５１ａと同じである。
【００４２】
図１３に示されている発光部支持部材２７０ｃは、図１１に示される発光部支持部材２７０ａに対しフレーム部材２２０ａの形状を変更したものである。発光部支持部材２７０ｃのフレーム部材２２０ｃは、突出部２２５だけでなく、突出部２２５と反対側に突出した突出部２２８を備える。これにより、フレーム部材２２０ｃの剛性が更に向上する。
【００４３】
図１４に示されている発光部支持部材２７０ｄは、図１１に示される発光部支持部材２７０ａに対しフレーム部材２２０の形状を変更したものである。発光部支持部材２７０ｄのフレーム部材２２０ｄは、突出部２２５だけでなく、突出部２２５と反対側に突出した突出部２２８を備える。更に、突出部２２５の外側にフレーム底部２２１の端部２２７が突出している。これにより、フレーム部材２２０ｄの剛性が更に向上し、更にフレーム部材２２０ｄの両側の端部２２６及び端部２２７に対称的にカバー部材２３０を係合させることができ、カバー部材２３０の形状を簡易化することができる。
【００４４】
図１５に示されている発光部支持部材２７０ｅは、図１１に示される発光部支持部材２７０ａに対しフレーム部材２２０ａの形状を変更したものである。フレーム部材２２０ｅは、断面形状がＬ字形状でありフレーム底部２２１の端部からフレーム部材２２０ｅの発光部２１０が設置されている面と反対側に向かって２つの突出部２２５ａ及び突出部２２５ｂが並列して突出している。突出部２２５ａは、ケース部材２５１ａの第１凹部２５２に隣接して設けられており、側壁部２５３に固定することができる。突出部２２５ｂは、突出部２２５ａと平行にフレーム底部２２１に立設されている。突出部２２５ａと突出部２２５ｂとの間は、溝状になっており、この溝に例えば配線を収納することが可能である。また、突出部２２５ａ、２２５ｂを２つ備えていることから、フレーム部材２２０ｅはより剛性を向上させることができる。
【００４５】
図１６に示されている発光部支持部材２７０ｆは、図１１に示される発光部支持部材２７０ａに対しフレーム部材２２０ａの形状を変更したものである。図１６に示されているフレーム部材２２０ｆは、図４及び図１１に示されたフレーム部材２２０ａに対し、フレーム底部２２１の突出部２２５が設けられている端部と反対側の端部２２６に、突出部２２５と反対側に向かって伸びる下側突出部２２９を備える。つまり、フレーム部材２２０ｆは、長手方向Ｘに垂直な断面において、一方の端部に突出部２２５を備え、他方の端部に下側突出部２２９を備える。よって、フレーム部材２２０ｆの長手方向Ｘに垂直な断面の両端が剛性の高く、フレーム部材２２０ｆの全体として剛性が向上している。
【００４６】
以上のように、図４に示される光源ユニット２００の発光部支持部材２７０は、図１１〜図１６に示される発光部支持部材２７０ａ〜２７０ｆのような各形態をとることができる。発光部支持部材２７０ａ〜２７０ｆの各形態をとることにより、フレーム部材２２０又はケース部材２５１の製造方法や材質が変更されても、発光部支持部材２７０ａ〜２７０ｆは必要な剛性を確保することができる。
【００４７】
図１７は、図４に示された照明装置１の変形例の断面図である。図１７に示されている、発光部支持部材２７０ｇは、上記の発光部支持部材２７０ａ〜２７０ｆのケース部材２５１ａの第２凹部２５５の底部２５７をフレーム底部２２１から所定の距離だけ離して設けられている。図１７において、第２凹部２５５の側壁部２５６は、カバー部材２３０のカバー係合部２３３ｃと係合している。長手方向Ｘに垂直な断面においてカバー部材２３０の一方の端部に設けられたカバー係合部２３３ｃと他方の端部に設けられたカバー係合部２３３ａとは、対称な位置に設けられているため、カバー部材２３０の成形性が向上するという利点がある。
【００４８】
（実施の形態１の効果）
（１）実施の形態１に係る光源ユニット２００によれば、第１面に光源が配置される発光部配置部及び第１面の裏側である第２面に部品配置部を有する平板状のフレーム部材２２０ａ〜２２０ｆと、部品配置部に取り付けられるケース部材２５１、２５１ａと、を備える。部品配置部は、フレーム部材２２０、２２０ａ〜２２０ｆを器具本体に取り付けるための取付部品１４０が配置され、ケース部材２５１、２５１ａは、フレーム部材２２０、２２０ａ〜２２０ｆが配置されている側に開放された第１凹部２５２を備え、取付部品１４０が配置されている領域以外の部品配置部を覆う様にフレーム部材２２０、２２０ａ〜２２０ｆに取り付けられる。
（２）また、フレーム部材２２０、２２０ａ〜２２０ｆは、発光部配置部、部品配置部、及びケース部材２５１、２５１ａが配置されている領域以外の領域に当該フレーム部材２２０、２２０ａ〜２２０ｆの長手方向Ｘに沿って第２面側に突出する突出部２２５を有する。
このように構成されることにより、光源ユニット２００は、フレーム部材２２０、２２０ａ〜２２０ｅを簡素な形状にしつつ、フレーム部材２２０、２２０ａ〜２２０ｆとケース部材２５１、２５１ａとを結合させることにより発光部２１０を支持するために必要な剛性を確保できる。その結果、発光部支持部材２７０、２７０ａ〜２７０ｆは、長手方向Ｘの撓みを抑制でき、光源ユニット２００及び照明装置１の薄型化及び小型化が図れる。
【００４９】
（３）実施の形態１に係る光源ユニット２００によれば、突出部２２５は、フレーム部材２２０、２２０ａ〜２２０ｆの第２面の端縁に、フレーム部材２２０ａ〜２２０ｆの長手方向に沿って突出し、ケース部材２５１、２５１ａは、第２面と突出部２２５とに沿って配置される。
（４）また、ケース部材２５１、２５１ａは、第１凹部２５２を突出部２２５に隣接させ、第１凹部２５２の側壁部２５３と突出部２２５とを連結してフレーム部材２２０、２２０ａ〜２２０ｆに取り付けられる。
このように構成されることにより、発光部支持部材２７０、２７０ａ〜２７０ｆは、上記（１）及び（２）の構成により得られる効果に加え、発光部２１０から出る光を反射する反射面として機能するフレーム底部２２１にフレーム部材２２０、２２０ａ〜２２０ｆとケース部材２５１、２５１ａとを連結させる部材等が配置されることがなく、光源ユニット２００としての性能を向上させることができる。
【００５０】
（５）実施の形態１に係る光源ユニット２００によれば、発光部２１０を覆うカバー部材２３０を備え、カバー部材２３０は、突出部２２５とケース部材２５１ａの第２凹部２５５の側壁部２５６に係合し固定される。
このように構成されることにより、長手方向Ｘに垂直な断面においてカバー部材２３０の一方の端部に設けられたカバー係合部２３３ｃと他方の端部に設けられたカバー係合部２３３ａとは、対称な位置に設けることができる。カバー部材２３０は、対称形状になるため成形性が向上するという利点がある。
【００５１】
（６）実施の形態１に係る光源ユニット２００によれば、フレーム部材２２０ｆは、突出部２２５が設けられている端縁に対し反対側の端部２２６に、突出部２２５と反対向きに突出した下側突出部２２９を更に備える。
このように構成されることにより、フレーム部材２２０ｆは、更に剛性が向上し、発光部支持部材２７０ｆ全体の剛性も更に向上する。また、フレーム部材２２０ｆは、例えば板金を折り曲げて製造することができ、製造コストも抑制することができる。
【００５２】
実施の形態２．
本発明の実施の形態２に係る光源ユニット２００は、実施の形態１に係る光源ユニット２００に対し、発光部支持部材２７０の構造を変更したものである。実施の形態２においては、実施の形態１に対する変更点を中心に説明する。
【００５３】
図１８は、本発明の実施の形態２に係る光源ユニット２００の発光部支持部材２７０ｈの説明図である。発光部支持部材２７０ｈは、ケース部材２５１ａの第２凹部２５５がフレーム部材２２０ａの突出部２２５側に設けられており、第２凹部２５５の側壁部２５６が突出部２２５に隣接している。第１凹部２５２は、フレーム底部２２１の突出部２２５が設けられている端部と反対側の端部２２６側に設けられている。第２凹部２５５の側壁部２５６が突出部２２５に固定され、フレーム部材２２０ａとケース部材２５１ａとが一体に構成されている。このように構成されることにより、断面が深い凹形状になっている第１凹部２５２がフレーム部材２２０ａの比較的剛性の低い部分である端部２２６側に位置するため、発光部支持部材２７０ｈは、長手方向Ｘに垂直な断面において剛性のバランスが良くなる。なお、図１８において、Ｌ字型のフレーム部材２２０ａが用いられているが、実施の形態１で説明されているフレーム部材２２０ｂ〜２２０ｆを用いてもよい。
【００５４】
（実施の形態２の効果）
（７）実施の形態２に係る光源ユニット２００によれば、ケース部材２５１ａは、第２凹部２５５を突出部２２５に隣接させ、第２凹部２５５の側壁部２５６と突出部２２５とを連結してフレーム部材２２０ａに取り付けられる。
このように構成されることにより、発光部支持部材２７０ｈは、長手方向Ｘに垂直な断面において剛性のバランスが良くなり、光源ユニット２００全体としての剛性も向上する。
【００５５】
実施の形態３．
本発明の実施の形態３に係る光源ユニット２００は、実施の形態１に係る光源ユニット２００に対し、発光部支持部材２７０の構造を変更したものである。実施の形態３においては、実施の形態１に対する変更点を中心に説明する。
【００５６】
図１９及び図２０は、本発明の実施の形態３に係る光源ユニット２００の発光部支持部材２７０ｉ、２７０ｊの説明図である。発光部支持部材２７０ｉは、ケース部材２５１ａは実施の形態１と同様な構成になっているが、フレーム部材２２０ｇは突出部２２５がフレーム底部２２１の中央部に形成されている。突出部２２５は、ケース部材２５１ａの側壁部２５４に隣接して設けられている。側壁部２５４は、第１凹部２５２と第２凹部２５５とを区切る壁であり、ケース部材２５１ａの中央部に設けられている。突出部２２５は、第１凹部２５２内に進入して設置されており、隣接する側壁部２５４と連結されている。ケース部材２５１ａの中央部に設けられている側壁部２５４とフレーム部材２２０ｇの中央部に設けられている突出部２２５とを結合することによりケース部材２５１ａとフレーム部材２２０ｇとが一体化されているため、ケース部材２５１ａとフレーム部材２２０ｇとはバランス良く固定される。ひいては、発光部支持部材２７０ｉは、破損しにくく、側壁部２５４と突出部２２５との固定箇所も最小限にすることができる。
【００５７】
図２０に示されている発光部支持部材２７０ｊは、図１９に示されているフレーム部材２２０ｇの突出部２２５だけでなく、突出部２２５と反対側に突出した突出部２２８を備える。突出部２２８を備えることにより、フレーム部材２２０ｈは更に剛性が向上する。また、フレーム部材２２０ｈに突出部２２８が設けられていることにより、発光部２１０は突出部２２８を避けて設置する必要がある。図２０において発光部２１０は、突出部２２８に沿って２箇所に設けられており、突出部２２８を位置決めとして並べることができる。
【００５８】
（実施の形態３の効果）
（８）実施の形態３に係る光源ユニット２００によれば、ケース部材２５１ａは、第１凹部２５２と第２凹部２５５とが隣接して設けられ、第１凹部２５２と第２凹部２５５とを区切る側壁部２５４と突出部２２５とを連結してフレーム部材２２０ｇ、２２０ｈに取り付けられる。
このように構成されることにより、ケース部材２５１ａとフレーム部材２２０ｇ、２２０ｈとは、それぞれの中央部同士で部品が結合されるため、バランス良く固定でき、強度が向上し、固定箇所も最小限にすることができる。よって、発光部支持部材２７０ｉ、２７０ｊは、強度が向上し、製造も容易になる。
【００５９】
実施の形態４．
本発明の実施の形態４に係る光源ユニット２００は、実施の形態１に係る光源ユニット２００に対し、発光部支持部材２７０の構造を変更したものである。実施の形態４においては、実施の形態１に対する変更点を中心に説明する。
【００６０】
図２１及び図２２は、本発明の実施の形態４に係る光源ユニット２００の発光部支持部材２７０ｋ、２７０ｌの説明図である。図２１に示される発光部支持部材２７０ｋは、ケース部材２５１ａは実施の形態１と同様な構成になっているが、フレーム部材２２０ｉは突出部２２５が設けられておらず、平板になっている。フレーム部材２２０ｉは、平板状であるため剛性が低いが、例えばケース部材２５１ａの第２凹部２５５の底部２５７とフレーム底部２２１とを接合することにより、剛性の低いフレーム部材２２０ｉにケース部材２５１ａを組み合わせ、発光部２１０を支持するのに必要な剛性を確保することができる。
【００６１】
図２０に示される発光部支持部材２７０ｌは、発光部支持部材２７０ｋに対し、ケース部材２５１ａの形状を変更したものである。ケース部材２５１ｂは、第１凹部２５２に隣接した両側に第２凹部２５５ａ及び第２凹部２５５ｂが設けられている。この構成により、ケース部材２５１ｂは、側壁部２５３、側壁部２５４、側壁部２５６ａ、及び側壁部２５６ｂの４つの側壁が平板状のフレーム部材２２０ｉに直交して配置される。ケース部材２５１ｂは、図１９に示されるケース部材２５１ａよりも剛性が向上するため、剛性の低いフレーム部材２２０ｉにケース部材２５１ｂを組み合わせ、発光部２１０を支持するのに必要な剛性を確保することができる。
【００６２】
（実施の形態４の効果）
（９）実施の形態４に係る光源ユニット２００によれば、第１面に光源が配置される発光部配置部及び第１面の裏側である第２面に部品配置部を有する平板状のフレーム部材２２０ｉと、部品配置部に取り付けられるケース部材２５１ａ、２５１ｂと、を備える。部品配置部は、フレーム部材２２０ｉを器具本体に取り付けるための取付部品１４０が配置され、ケース部材２５１ａ、２５１ｂは、フレーム部材２２０ｉが配置されている側に開放された第１凹部２５２を備え、取付部品１４０が配置されている領域以外の部品配置部を覆う様にフレーム部材２２０ｉに取り付けられる。また、部品配置部は、発光部配置部に配置された発光部２１０に点灯電力を供給する電源装置２５０が配置され、電源装置２５０は、第１凹部２５２に覆われている。
（１０）また、ケース部材２５１ａ、２５１ｂは、第１凹部２５２と反対側に向かって開放されている第２凹部２５５と、を備える。
このように構成されることにより、フレーム部材２２０ｉが平板状の簡易な構成であっても、剛性の高いケース部材２５１ａ、２５１ｂと組み合わされることにより、発光部支持部材２７０ｋ、２７０ｌは、発光部２１０を適切に支持するのに十分な剛性が確保できる。その結果、発光部支持部材２７０ｋ、２７０ｌは、簡易な構造で長手方向Ｘの撓みを抑制でき、光源ユニット２００及び照明装置１の薄型化及び小型化が図れる。
【００６３】
（１１）なお、実施の形態１〜４に示された照明装置１によれば、上記（１）〜（１０）に記載された構成の光源ユニット２００を備える。これにより、照明装置１の薄型化及び小型化が図れる。
【符号の説明】
【００６４】
１  照明装置、１００  装置本体、１１０  取付部、１１１  収容凹部、１１１ａ  底部、１１１ａａ  電源引込孔、１１１ａｂ  固定孔、１１１ｂ  側部、１１１ｃ  開口、１１２  鍔部、１１３  傾斜部、１２０  側板、１２１  側板本体部、１２２  側板鍔部、１３０  端子台、１３１  端子台本体部、１３２  端子台接続部、１３２ａ  端子台電線、１３２ｂ  端子台コネクタ、１４０  取付部品、１４１  バネ固定部、１４２  バネ円弧部、１４３  バネ先端部、２００  光源ユニット、２１０  発光部、２１１  基板、２１２  発光素子、２２０  フレーム部材、２２０ａ  フレーム部材、２２０ｂ  フレーム部材、２２０ｃ  フレーム部材、２２０ｄ  フレーム部材、２２０ｅ  フレーム部材、２２０ｆ  フレーム部材、２２０ｇ  フレーム部材、２２０ｈ  フレーム部材、２２０ｉ  フレーム部材、２２１  フレーム底部、２２５  突出部、２２５ａ  突出部、２２５ｂ  突出部、２２６  端部、２２７  端部、２２８  突出部、２２９  下側突出部、２３０  カバー部材、２３１  カバー正面部、２３２  カバー側部、２３３  カバー底部、２３３ａ  カバー係合部、２３３ｂ  カバー係合部、２３３ｃ  カバー係合部、２４０  蓋、２４１  蓋端面、２４２  蓋側面、２５０  電源装置、２５１  ケース部材、２５１ａ  ケース部材、２５１ｂ  ケース部材、２５２  第１凹部、２５３  側壁部、２５４  側壁部、２５５  第２凹部、２５５ａ  第２凹部、２５５ｂ  第２凹部、２５６  側壁部、２５６ａ  側壁部、２５６ｂ  側壁部、２５７  底部、２６０  連結金具、２６１  金具固定部、２６２  バネ連結部、２６２ａ  連結開口部、２７０  発光部支持部材、２７０ａ  発光部支持部材、２７０ｂ  発光部支持部材、２７０ｃ  発光部支持部材、２７０ｄ  発光部支持部材、２７０ｅ  発光部支持部材、２７０ｆ  発光部支持部材、２７０ｇ  発光部支持部材、２７０ｈ  発光部支持部材、２７０ｉ  発光部支持部材、２７０ｊ  発光部支持部材、２７０ｋ  発光部支持部材、２７０ｌ  発光部支持部材、Ｘ  長手方向、Ｙ  短手方向、Ｚ  上下方向、Ｚ１  上方向、Ｚ２  下方向。
【図１】
2018206526.tif 000003
【図２】
2018206526.tif 000004
【図３】
2018206526.tif 000005
【図４】
2018206526.tif 000006
【図５】
2018206526.tif 000007
【図６】
2018206526.tif 000008
【図７】
2018206526.tif 000009
【図８】
2018206526.tif 000010
【図９】
2018206526.tif 000011
【図１０】
2018206526.tif 000012
【図１１】
2018206526.tif 000013
【図１２】
2018206526.tif 000014
【図１３】
2018206526.tif 000015
【図１４】
2018206526.tif 000016
【図１５】
2018206526.tif 000017
【図１６】
2018206526.tif 000018
【図１７】
2018206526.tif 000019
【図１８】
2018206526.tif 000020
【図１９】
2018206526.tif 000021
【図２０】
2018206526.tif 000022
【図２１】
2018206526.tif 000023
【図２２】
2018206526.tif 000024